(57)【要約】【課題】  カップ部の内面が使用者の皮膚に粘着するようにしたブラジャーであって、より快適な使用感を得ることができるブラジャーを提供すること。【解決手段】  この発明のブラジャーは、カップ部の内面が使用者の皮膚に粘着するようにしたブラジャーであって、内面側から外面側に貫通する複数の通気孔２を形成した発泡材３をカップ部の内部に有するものとしている。カップ部は、発泡材３、発泡材３の内面側と外面側をそれぞれ覆う内部生地層５，６、各内部生地層５，６をそれぞれ覆う内面層７と外面層８から構成されているものとすることができる。また、２つのカップ部を着脱自在な連結具により連結しているものとすることができる。【選択図】  図２
2006077354.tif 000002
【特許請求の範囲】
【請求項１】
カップ部（１）の内面が使用者の皮膚に粘着するようにしたブラジャーであって、内面側から外面側に貫通する複数の通気孔（２）を形成した発泡材（３）をカップ部（１）の内部に有することを特徴とするブラジャー。
【請求項２】
カップ部（１）が、発泡材（３）、発泡材（３）の内面側と外面側をそれぞれ覆う内部生地層（５）（６）、各内部生地層（５）（６）をそれぞれ覆う内面層（７）と外面層（８）から構成されている請求項１記載のブラジャー。
【請求項３】
２つのカップ部（１）を着脱自在な連結具（４）により連結している請求項１又は２記載のブラジャー。
【発明の詳細な説明】
【技術分野】
【０００１】
この発明は、カップ部の内面が使用者の皮膚に粘着するようにしたブラジャーに関するものである。
【背景技術】
【０００２】
従来、特許文献１に記載のような、カップ部の内面が使用者の皮膚に粘着するようにしたブラジャーがあった。このブラジャーは、各カップ部に使用者の皮膚に接する内表面層上に粘着剤層が設けられて、使用者の皮膚上に粘着支持されるようにしたもので、肩紐やバックバンドのない構造となっている。また、特許文献１には、二層の布地層３６間に発泡材４０を更に設置したものが記載されており（図４）、比較的軽量ながらバストを大きく見せることができるようになっている。
【０００３】
しかし、この従来のブラジャーは通気性が悪く、使用者が汗をかくと蒸れ、また、発泡材４０に汗がしみこんで重くなるなど、快適な使用感が得られるものではなかった。
【特許文献１】実用新案登録第３０９５３４９号公報
【発明の開示】
【発明が解決しようとする課題】
【０００４】
そこで、この発明は、カップ部の内面が使用者の皮膚に粘着するようにしたブラジャーであって、より快適な使用感を得ることができるブラジャーを提供することを課題とする。
【課題を解決するための手段】
【０００５】
この発明のブラジャーは、カップ部１の内面が使用者の皮膚に粘着するようにしたブラジャーであって、内面側から外面側に貫通する複数の通気孔２を形成した発泡材３をカップ部１の内部に有するものとしている。
【０００６】
カップ部１は、発泡材３、発泡材３の内面側と外面側をそれぞれ覆う内部生地層５，６、各内部生地層５，６をそれぞれ覆う内面層７と外面層８から構成されているものとすることができる。
【０００７】
また、２つのカップ部１を着脱自在な連結具４により連結しているものとすることができる。
【発明の効果】
【０００８】
この発明のブラジャーは、上述のような構成を有しており、通気性がよく、使用者が汗をかいても蒸れにくく、また、発泡材３に汗がしみこんで重くなることが防止され、快適な使用感が得られるものとなっている。
【発明を実施するための最良の形態】
【０００９】
以下、この発明の好適な実施形態を、図面を参照して説明する。
【００１０】
図１はこの発明の実施形態のブラジャーの斜視図、図２はカップ部１の中央部分の断面図、図３はカップ部１の端部の断面図、図４は発泡材３の斜視図である。
【００１１】
このブラジャーは、カップ部１の内面が使用者の皮膚に粘着するようにしたブラジャーであって、内面側から外面側に貫通する複数の通気孔２を形成した発泡材３をカップ部１の内部に有するものとしている。
【００１２】
このブラジャーは、肩紐やバックバンドがない、使用者の胸に貼り付けて使用するタイプのブラジャーで、図１に示したように、２つのカップ部１を着脱自在な連結具４，４により連結することにより構成されている。
【００１３】
正面左側のカップ部１の連結具４は右側部に設けられ、正面右側のカップ部１の連結具４は左側部に設けられており、一方の連結具４に他方の連結具４を差し込んで連結できるようにしている。連結具４は、プラスチック製、金属製等とすることができ、形状は図示したものに限定されない。
【００１４】
カップ部１は、図２、図３に示したように、発泡材３、発泡材３の内面側と外面側をそれぞれ覆う内部生地層５，６、各内部生地層５，６をそれぞれ覆う内面層７及び外面層８から構成されている。
【００１５】
発泡材３は、発泡ウレタン製で、中央の厚みが厚くなるようにした椀形状としている。図４に示したように、発泡材３には、適宜間隔で内面側から外面側に貫通する通気孔２が形成されている。通気孔２は、直径０．５ｍｍ〜２ｍｍ、好ましくは１ｍｍ程度で、１ｃｍ程度の間隔ごとに形成され、全体では１００個程度形成されている。この発泡材３は、通気孔２の形成により、同じ大きさの発泡材よりも１０ｇ程度軽量になっている。通気孔２は、金型により発泡材３の成形時に同時に形成されるようにすることができる。
【００１６】
前記発泡材３の内面側と外面側をそれぞれ覆う内部生地層５，６は、スパンテックスのような伸縮性や通気性の優れた素材からなるものとしている。
【００１７】
前記内部生地層５，６を覆う内面層７は、シリコン樹脂製で、内面側に粘着剤を塗布したものとしている。粘着剤は、繰り返し皮膚に粘着させたり剥がしたりすることが可能なもので、液状のシリコン樹脂とすることができる。
【００１８】
前記内部生地層５，６を覆う外面層８は、レース生地としている。レース生地は、草、木、花等の植物、その他適宜の模様を施したとものとすることができる。
【００１９】
上述のように、カップ部１は、発泡材３、内面側と外面側の内部生地層５，６、内面層７及び外面層８の５層構造となっている。そして、この５層の部材は、カップ部１の縁部全周においてパイピング加工されている。パイピング加工は、カップ部１の周囲を囲む線材９をテープ１０で包んで縫製したものとしている。
【００２０】
このブラジャーは、内部の発泡材３が、通気孔２により通気性がよくなっているため、使用者の皮膚が汗で蒸れたりしにくく、快適な使用感が得られる。しかも、発泡材３に通気孔２を形成した分、軽量化されており、発泡材３の厚みを大きくしても使用者への負担が少なく快適に使用でき、また、厚みを大きくすることによって強度を向上させることもできる。さらに、洗濯して水分がしみこんでも比較的早く乾燥させることができる。
【００２１】
また、前記５層の部材をカップ部１の縁部全周においてパイピング加工したことにより、前記５層の部材は解れにくくなっており、長期間の使用に耐えることができる。しかも、カップ部１の全周が縫製されているので、皺の生じやすいレース生地に張りをもたせることが可能となっている。
【図面の簡単な説明】
【００２２】
【図１】この発明の実施形態のブラジャーの斜視図である。
【図２】この発明の実施形態のブラジャーのカップ部の中央部分の断面図である。
【図３】この発明の実施形態のブラジャーのカップ部の端部の断面図である。
【図４】この発明の実施形態のブラジャーの発泡材の斜視図である。
【符号の説明】
【００２３】
１  カップ部
２  通気孔
３  発泡材
４  連結具
５，６  内部生地層
７  内面層
８  外面層
【図１】
2006077354.tif 000003
【図２】
2006077354.tif 000004
【図３】
2006077354.tif 000005
【図４】
2006077354.tif 000006